(57)【特許請求の範囲】
【請求項１】
門扉の開放端の下面と基礎の上面との間に配される載置部材と、間隔材と、前記開放端および前記間隔材を通って、前記載置部材に螺合するねじとからなり、前記間隔材と前記載置部材とを重ね合せた高さは、前記開放端の下面と前記基礎の上面との間の間隔と等しい門扉沈下防止金具の門扉への固定方法において、
前記開放端の下面と前記基礎の上面との間に隙間を形成しない場合には、前記間隔材を前記開放端の下面と前記載置部材の上面との間に挟み込んで、前記ねじを前記開放端と前記載置部材とに挿通し、前記載置部材に螺合させて、前記載置部材を前記間隔材を介して前記開放端の下面に固定し、前記開放端の下面と前記基礎の上面との間の隙間を形成する場合には、前記間隔材を前記開放端の上面に移し、前記ねじを前記間隔材と前記開放端とに挿通し、前記載置部材に螺合させて、前記載置部材を前記開放端の下面に直接、固定することを特徴とする、門扉沈下防止金具の門扉への固定方法。
【請求項２】
前記間隔材は、複数枚の平板からなっていることを特徴とする、請求項１に記載の、門扉沈下防止金具の門扉への固定方法。
【請求項３】
前記間隔材には、前記ねじが挿通される溝が形成されていることを特徴とする、請求項１または２に記載の、門扉沈下防止金具の門扉への固定方法。
【請求項４】
前記ねじは、蝶ねじからなっていることを特徴とする、請求項１から３の何れか１つに記載の、門扉沈下防止金具の門扉への固定方法。
【請求項５】
前記門扉は、片開きであり、前記間隔材と前記載置部材とを重ね合せた高さは、前記開放端の下面と、地面から突出した、前記基礎の上面との間隔と等しいことを特徴とする、請求項１から４の何れか１つに記載の、門扉沈下防止金具の門扉への固定方法。
【請求項６】
前記門扉は、両開きであり、前記間隔材と前記載置部材とを重ね合せた高さは、前記開放端の下面と、地面と同一高さの、前記基礎の上面との間の間隔と等しいことを特徴とする、請求項１から４の何れか１つに記載の、門扉沈下防止金具の門扉への固定方法。
【発明の詳細な説明】
【技術分野】
【０００１】
この発明は、門扉沈下防止金具の門扉への固定方法、特に、積雪荷重による門扉の沈下を防止するための門扉沈下防止金具の門扉への固定方法に関するものである。
【背景技術】
【０００２】
積雪地においては門扉が雪の荷重により沈下し、変形することによって、門扉の開閉に支障を来す恐れがあった。
【０００３】
そこで、この問題を解決するための門扉沈下防止金具が望まれている。
【発明の概要】
【発明が解決しようとする課題】
【０００４】
上記門扉沈下防止金具に要求される性能は、高さ調整が自由に行え、積雪荷重による門扉の沈下を防止する際は勿論、積雪荷重による門扉の沈下の恐れがなくなった際にも、載置部材の位置ずれがおこらず、しかも、優れた外観を有することであるが、このような門扉沈下防止金具は、未だ提案されていない。
【０００５】
従って、この発明の目的は、高さ調整が自由に行え、積雪荷重による門扉の沈下を防止する際は勿論、積雪荷重による門扉の沈下の恐れがなくなった際にも、載置部材の位置ずれがおこらず、しかも、外観に優れた門扉沈下防止金具の門扉への固定方法を提供することにある。
【課題を解決するための手段】
【０００６】
この発明は、上記目的を達成するためになされたものであり、下記を特徴とするものである。
【０００７】
請求項１に記載の発明は、門扉の開放端の下面と基礎の上面との間に配される載置部材と、間隔材と、前記開放端および前記間隔材を通って、前記載置部材に螺合するねじとからなり、前記間隔材と前記載置部材とを重ね合せた高さは、前記開放端の下面と前記基礎の上面との間の間隔と等しい門扉沈下防止金具の門扉への固定方法において、前記開放端の下面と前記基礎の上面との間に隙間を形成しない場合には、前記間隔材を前記開放端の下面と前記載置部材の上面との間に挟み込んで、前記ねじを前記開放端と前記載置部材とに挿通し、前記載置部材に螺合させて、前記載置部材を前記間隔材を介して前記開放端の下面に固定し、前記開放端の下面と前記基礎の上面との間の隙間を形成する場合には、前記間隔材を前記開放端の上面に移し、前記ねじを前記間隔材と前記開放端とに挿通し、前記載置部材に螺合させて、前記載置部材を前記開放端の下面に直接、固定することに特徴を有するものである。
【０００８】
請求項２に記載の発明は、請求項１に記載の発明において、前記間隔材は、複数枚の平板からなっていることに特徴を有するものである。
【０００９】
請求項３に記載の発明は、請求項１または２に記載の発明において、前記間隔材には、前記ねじが挿通される溝が形成されていることに特徴を有するものである。
【００１０】
請求項４に記載の発明は、請求項１から３の何れか１つに記載の発明において、前記ねじは、蝶ねじからなっていることに特徴を有するものである。
【００１１】
請求項５に記載の発明は、請求項１から４の何れか１つに記載の発明において、前記門扉は、片開きであり、前記間隔材と前記載置部材とを重ね合せた高さは、前記開放端の下面と、地面から突出した、前記基礎の上面との間隔と等しいことに特徴を有するものである。
【００１２】
請求項６に記載の発明は、請求項１から４の何れか１つに記載の発明において、前記門扉は、両開きであり、前記間隔材と前記載置部材とを重ね合せた高さは、前記開放端の下面と、地面と同一高さの、前記基礎の上面との間の間隔と等しいことに特徴を有するものである。
【発明の効果】
【００１３】
この発明によれば、間隔材の枚数を増減させることによって、載置部材の高さを自由に変えることができる。
【００１４】
また、この発明によれば、載置部材は、ねじにより門扉に固定されるので、積雪荷重による門扉の沈下を防止する際に、載置部材の位置がずれて、門扉の沈下防止機能が失われる恐れはない。
【００１５】
また、この発明によれば、載置部材は、ねじにより門扉に固定されるので、積雪荷重による門扉の沈下の恐れがなくなった際に、載置部材が門扉の開放端の下面に移動して、門扉の開閉に支障を来す恐れはない。
【００１６】
また、この発明によれば、積雪荷重による門扉の沈下を防止する際は勿論、積雪荷重による門扉の沈下の恐れがなくなった際も、ねじにより門扉に門扉からはみ出すことなく固定されるので、外観に優れる。
【００１７】
また、この発明によれば、積雪荷重による門扉の沈下の恐れがなくなった際には、間隔材を門扉の開放端の上面にねじにより固定することによって、間隔材の保管が確実に行なえる。
【図面の簡単な説明】
【００１８】
【図１】この発明に使用する門扉沈下防止金具を示す分解斜視図である。
【図２】この発明に使用する門扉沈下防止金具を取り付けた片開き門扉を示す正面図である。
【図３】図２の部分拡大背面図である。
【図４】図３のＡ矢視図である。
【図５】図３のＢ矢視図である。
【図６】門扉の開放端の下面に直接、載置部材を固定した片開き門扉を示す部分拡大背面図である。
【図７】図６のＡ矢視図である。
【図８】図６のＢ矢視図である。
【図９】この発明に使用する門扉沈下防止金具を取り付けた両開き門扉を示す正面図である。
【図１０】図９の部分拡大背面図である。
【図１１】図１０のＡ矢視図である。
【図１２】図１０のＢ矢視図である。
【図１３】門扉の開放端の下面に直接、載置部材を固定した両開き門扉を示す部分拡大背面図である。
【図１４】図１３のＡ矢視図である。
【図１５】図１３のＢ矢視図である。
【発明を実施するための形態】
【００１９】
この発明に使用する門扉沈下防止金具の一実施態様を、図面を参照しながら説明する。
【００２０】
図１は、この発明に使用する門扉沈下防止金具を示す分解斜視図、図２は、この発明に使用する門扉沈下防止金具を取り付けた片開き門扉を示す正面図である。
【００２１】
図１から図８において、１は、片開き門扉２の開放端２ａの下面と門扉２の基礎３の上面との間に配される載置部材、４は、複数枚の間隔材、５は、門扉２の開放端２ａおよび間隔材４を挿通して、載置部材１に螺合するねじである。なお、図２において、６は、門扉２の背面側に設けられているかんぬきのレバー用溝である。
【００２２】
門扉２の開放端２ａは、Ｌ型鋼からなっている。
【００２３】
載置部材１は、角筒状の鋼材からなっていて、上面にねじ５が螺合する雌ねじ１ａが形成されている。
【００２４】
基礎３は、地面から突出している。
【００２５】
間隔材４は、四角形状の鋼板からなり、一辺には、ねじ５が挿通される溝４ａが形成されている。間隔材４の枚数は、この例では、４枚であるが、必要に応じて、４枚未満あるいは４枚超であっても良い。このように、載置部材１の高さは、間隔材４の枚数によって自在に調整可能である。間隔材４の枚数は、間隔材４と載置部材１とを重ね合せた高さが門扉２の開放端２ａの下面と基礎３の上面との間の間隔と等しくなる枚数とする。
【００２６】
ねじ５は、蝶ねじであり、手で容易に締めることができる。
【００２７】
このように構成されている、この発明に使用する門扉沈下防止金具は、以下のようにして、片開き門扉の開放端に固定する。
【００２８】
積雪荷重による片開き門扉２の沈下を防止する際には、図２から図５に示すように、間隔材４を門扉２の開放端２ａの下面と載置部材１の上面との間に挟み込んで、ねじ５を門扉２の開放端２ａと載置部材１とに挿通し、載置部材１の雌ねじ１ａに螺合させる。このようにして、載置部材１を間隔材４を介して開放端２ａの下面に固定する。
【００２９】
間隔材４を開放端２ａの下面と載置部材１の上面との間に挟み込むには、門扉２の表側あるいは裏側の何れかの側から、ねじ５が間隔材４の溝４ａ内に入り込むように挿入する。
【００３０】
間隔材４と載置部材１とを重ね合せた高さは、開放端２ａの下面と基礎３の上面との間の間隔と等しいので、門扉２にかかる積雪荷重は、間隔材４と載置部材１とを介して基礎３にかかる。この結果、門扉２は、沈下せず、変形する恐れもない。
【００３１】
積雪荷重による門扉２の沈下の恐れがなくなった際には、図６から図８に示すように、間隔材４を門扉２の開放端２ａの上面に移し、ねじ５を間隔材４と開放端２ａとに挿通し、載置部材１に螺合させて、載置部材１を開放端２ａの下面に直接、固定する。
【００３２】
これによって、載置部材１の下面と基礎３との間に隙間（Ｓ）（図６、図８参照）が形成されるので、通常通り、片開き門扉２を開閉することができる。
【００３３】
なお、間隔材４を開放端２ａの上面に移すには、門扉２の背面側から、ねじ５が間隔材４の溝４ａ内に入り込むように挿入する。
【００３４】
次に、この発明により門扉沈下防止金具を両開き門扉に取り付ける場合について、図面を参照しながら説明する。
【００３５】
図９は、この発明に使用する門扉沈下防止金具を取り付けた両開き門扉を示す正面図、図１０は、図９の部分拡大背面図、図１１は、図１０のＡ矢視図、図１２は、図１０のＢ矢視図、図１３は、門扉の開放端の下面に直接、載置部材を固定した両開き門扉を示す部分拡大背面図、図１４は、図１３のＡ矢視図、図１５は、図１３のＢ矢視図である。
【００３６】
図９から図１５において、図１および図８におけると同一番号の物は、同一物を示す。但し、２は、両開き門扉であり、載置部材１の高さは、片開き門扉の場合に比べて高くなっている。これは、門扉２の施錠用の落し棒７が落とし込まれる孔８ａが形成された基礎８が地面と同一高さであるからである。
【００３７】
このように構成されている、この発明に使用する門扉沈下防止金具は、以下のようにして、両開き門扉の開放端に固定する。
【００３８】
積雪荷重による両開き門扉２の沈下を防止する際には、図９から図１２に示すように、間隔材４を門扉２の開放端２ａの下面と載置部材１の上面との間に挟み込んで、ねじ５を門扉２の開放端２ａと載置部材１とに挿通し、載置部材１の雌ねじ１ａに螺合させる。このようにして、載置部材１を間隔材４を介して開放端２ａの下面に固定する。
【００３９】
間隔材４を開放端２ａの下面と載置部材１の上面との間に挟み込むには、門扉２の表側あるいは裏側の何れの側から、ねじ５が間隔材４の溝４ａ内に入り込むように挿入する。
【００４０】
間隔材４と載置部材１とを重ね合せた高さは、開放端２ａの下面と基礎８の上面との間の間隔と等しいので、門扉２にかかる積雪荷重は、間隔材４と載置部材１とを介して基礎８にかかる。この結果、門扉２は、沈下せず、変形する恐れもない。
【００４１】
積雪荷重による門扉２の沈下の恐れがなくなった際には、図１３から図１５に示すように、間隔材４を門扉２の開放端２ａの上面に移し、ねじ５を間隔材４と開放端２ａとに挿通し、載置部材１に螺合させて、載置部材１を開放端２ａの下面に直接、固定する。
【００４２】
これによって、載置部材１の下面と基礎８との間に隙間（Ｓ）（図１３、図１５参照）が形成されるので、通常通り、両開き門扉２を開閉することができる。
【００４３】
なお、間隔材４を開放端２ａの上面に移すには、門扉２の背面側から、ねじ５が間隔材４の溝４ａ内に入り込むように挿入する。
【００４４】
以上、説明したように、この発明によれば、間隔材４の枚数を増減させることによって、載置部材１の高さ調整と同等の効果が得られる。
【００４５】
また、この発明によれば、載置部材１は、ねじ５により門扉２に固定されるので、積雪荷重による門扉２の沈下を防止する際に、載置部材１の位置がずれて、門扉２の沈下防止機能が失われる恐れはない。
【００４６】
また、この発明によれば、載置部材１は、ねじ５により門扉２に固定されるので、積雪荷重による門扉の沈下の恐れがなくなった際に、載置部材１が門扉２の開放端２ａの下面に移動して、門扉２の開閉に支障を来す恐れはない。
積雪荷重による門扉２の沈下を防止する際は勿論、積雪荷重による門扉の沈下の恐れがなくなった際も、ねじ５により門扉２に門扉２からはみ出すことなく固定されるので、外観に優れる。
【００４７】
また、この発明によれば、積雪荷重による門扉の沈下の恐れがなくなった際には、間隔材４を門扉２の開放端２ａの上面にねじ５により固定することによって、間隔材４の保管が確実に行なえる。
【符号の説明】
【００４８】
１：載置部材
１ａ：雌ねじ
２：門扉
２ａ：開放端
３：基礎
４：間隔材
４ａ：溝
５：ねじ
６：かんぬきのレバー用溝
７：落し棒
８：基礎
８ａ：孔
【図１】
0006424099.tif 000002
【図２】
0006424099.tif 000003
【図３】
0006424099.tif 000004
【図４】
0006424099.tif 000005
【図５】
0006424099.tif 000006
【図６】
0006424099.tif 000007
【図７】
0006424099.tif 000008
【図８】
0006424099.tif 000009
【図９】
0006424099.tif 000010
【図１０】
0006424099.tif 000011
【図１１】
0006424099.tif 000012
【図１２】
0006424099.tif 000013
【図１３】
0006424099.tif 000014
【図１４】
0006424099.tif 000015
【図１５】
0006424099.tif 000016